(57)【要約】【課題】着装時に直感的にウエストサイズを認識することができ、もってダイエットの目標達成の一助となるベルトを提供する。【解決手段】帯状のベルト本体と、ベルト本体の一端部に配置されるバックルとを備え、装着者のウエスト部に装着されるベルトであって、装着者への装着状態におけるベルト本体の外側面又は内側面の少なくとも一方の面であって、バックルによる位置決め固定が想定される領域に、ベルト本体の長さ方向に沿って隣り合って配置され、複数の区画が色分けされて表示されている。【選択図】図１
0003217492.tif 000002
【実用新案登録請求の範囲】
【請求項１】
帯状のベルト本体と、前記ベルト本体の一端部に配置されるバックルとを備え、装着者のウエスト部に装着されるベルトであって、
前記装着者への装着状態における前記ベルト本体の外側面又は内側面の少なくとも一方の面であって、前記バックルによる位置決め固定が想定される領域に、色分けされた複数の区画を前記ベルト本体の長さ方向に沿って並べて表示したことを特徴とするベルト。
【請求項２】
前記バックルは、前記ベルト本体に開設されたベルト穴に挿入されるピンを備えるものであり、
前記区画のそれぞれに前記ベルト穴が開設されていることを特徴とする請求項１に記載のベルト。
【請求項３】
前記バックルは、前記ベルト本体を内側と外側から挟み込んで前記ベルト本体を固定するものであることを特徴とする請求項１に記載のベルト。
【請求項４】
前記領域は、装着時において、ウエストサイズが小さい側から順に緑色、黄色、赤色を表示する区画を有することを特徴とする請求項１に記載のベルト。
【請求項５】
隣接する前記区画は、明度が異なる色彩で表示されていることを特徴とする請求項１に記載のベルト。
【考案の詳細な説明】
【技術分野】
【０００１】
本考案は、服飾用のベルトに係り、特にダイエットの視標を示すことができるベルトに関する。
【背景技術】
【０００２】
従来、ダイエットに有用な服飾用のベルトとして以下のものがある。
【０００３】
特許文献１には、ベルトの一方あるいは両方の側にウエストサイズ目盛あるいは色分け目盛を備え、装着時にサイズが読み取れるという特徴を持ったインナーベルトが記載されている（請求項１及び図１参照）。
【０００４】
また、特許文献２には、バックルに刻した基線を基準としてバンド帯の表面に目盛を施し、前記バックルに前記目盛の透過部分を構成したことを特徴とするバンド状ウエスト測定器が記載されている（請求の範囲及び第１図等参照）。
【０００５】
これらの技術によれば、服飾用のベルトを用いてウエストサイズを測定することができる。
【先行技術文献】
【特許文献】
【０００６】
【特許文献１】実開昭６２−１１８１２３号公報
【特許文献２】実公昭４３−２９１３３号公報
【考案の概要】
【考案が解決しようとする課題】
【０００７】
しかし、上述した従来のベルトは、着用者がウエストのサイズを測定することができるものの、測定値を数値で把握する必要がある。このため、ダイエットの目標や視標とするには数値を記憶する等の煩雑さがある。
【０００８】
本考案は上述した課題に鑑みてなされたものであり、着装時に直感的にウエストサイズを認識することができ、もってダイエットの目標達成の一助となるベルトを提供することを目的とする。
【課題を解決するための手段】
【０００９】
前記課題を解決する請求項１に記載の考案は、帯状のベルト本体と、前記ベルト本体の一端部に配置されるバックルとを備え、装着者のウエスト部に装着されるベルトであって、前記装着者への装着状態における前記ベルト本体の外側面又は内側面の少なくとも一方の面であって、前記バックルによる位置決め固定が想定される領域に、色分けされた複数の区画を前記ベルト本体の長さ方向に沿って並べて表示したことを特徴とするベルトである。
【００１０】
本考案によれば、バックルによる位置決め箇所を色により認識することができる。このため、自己のウエストサイズを直感的に認識でき、過去の色と比較することができる。また、目標とする色を設定しておくことにより意識して行動できるため、ダイエットの助けとなる。更に、装着時における内側に色分けした区画を表示している場合は、外側の面を通常のベルトのように単一色等にすれば、常時使用できるベルトや正装用のベルトとしても使用することができる。
【００１１】
同じく請求項２に記載の考案は、前記ベルトにおいて、前記バックルは、前記ベルト本体に開設されたベルト穴に挿入されるピンを備えるものであり、前記区画のそれぞれに前記ベルト穴が開設されていることを特徴とする。
【００１２】
本考案によれば、ベルト本体はピンをベルト穴に挿入することで位置決めされる。よって、バックルとベルト本体を確実に位置決め固定することができる。また、各区画にベルト穴が開設されているので、バックルのピンが挿入されるベルト穴が開設された区画の色でウエストのサイズを認識できる。
【００１３】
同じく請求項３に記載の考案は、前記ベルトにおいて、前記バックルは、前記ベルト本体を内側と外側から挟み込んで前記ベルト本体を固定するものであることを特徴とする。
【００１４】
本考案によれば、ベルト本体はバックルにより内側と外側から挟まれて位置決めされる。よって、ベルト穴によることなく連続的に寸法を変更できる。また、バックルが配置された区画の色によりウエストサイズを認識できる。
【００１５】
同じく請求項４に記載の考案は、前記ベルトにおいて、前記領域は、装着時において、ウエストサイズが小さい側から順に緑色、黄色、赤色を表示する区画を有することを特徴とする。
【００１６】
本考案によれば、バックルはウエストサイズが小さい順に緑色、黄色、赤色の区画に位置決めされる。よって、ベルトの装着者は、緑色、黄色、赤色を認識することで、自己のウエストサイズが安全（緑色）、注意（黄色）、危険（赤色）であることを直感的に認識できる。
【００１７】
同じく請求項５に記載の考案は、前記ベルトにおいて、隣接する前記区画は、明度が異なる色彩で表示されていることを特徴とする。
【００１８】
本考案によれば、バックルが位置決め固定される区画において隣接する区画の明度が異なる。よって、それぞれの区画の区別が容易となり、見間違いや勘違いを防止できる。
【考案の効果】
【００１９】
本考案に係るベルトによれば、着装時に直感的にウエストサイズを認識することができ、もってダイエットの目標達成の一助とすることができる。
【００２０】
請求項１に記載のベルトによれば、バックルによる位置決め箇所を色により認識することができる。このため、自己のウエストサイズを直感的に認識でき、過去の色と比較することができる。また、目標とする色を設定しておくことにより意識して行動できるため、ダイエットの助けとなる。更に、装着時における内側に色分けした区画を表示している場合は、外側の面を通常のベルトのように単一色等にすれば、常時使用できるベルトや正装用のベルトとしても使用することができる。
【００２１】
また、請求項２に記載のベルトによれば、ベルト本体はピンをベルト穴に挿入することで位置決めされる。よって、バックルとベルト本体を確実に位置決め固定することができる。また、各区画にベルト穴が開設されているので、バックルのピンが挿入されるベルト穴が開設された区画の色でウエストのサイズを認識できる。
【００２２】
また、請求項３に記載のベルトによれば、ベルト本体はバックルにより内側と外側から挟まれて位置決めされる。よって、ベルト穴によることなく連続的に寸法を変更できる。また、バックルが配置された区画の色によりウエストサイズを認識できる。
【００２３】
更に、請求項４に記載のベルトによれば、バックルはウエストサイズが小さい側から順に緑色、黄色、赤色の区画に位置決めされる。よって、ベルトの装着者は、緑色、黄色、赤色を認識することで、自己のウエストサイズが安全（緑色）、注意（黄色）、危険（赤色）であることを直感的に認識できる。
【００２４】
そして、請求項５に記載のベルトによれば、バックルが位置決め固定される区画において隣接する区画の明度が異なる。よって、それぞれの区画の区別が容易となり、見間違いや勘違いを防止できる。
【図面の簡単な説明】
【００２５】
【図１】本考案の第１実施形態に係るベルトを示すものであり、（ａ）はベルトの正面図、(ｂ)はベルトの背面図である。
【図２】装着状態における同ベルトのバックル付近を内側から見た拡大図である。
【図３】本考案の第２実施形態に係るベルトを示すものであり、（ａ）はベルトの正面図、(ｂ)はベルトの背面図である。
【図４】装着状態における同ベルトのバックル付近を内側から見た拡大図である。
【図５】本考案の他の実施形態に係るベルトの着色された区画を示す模式図である。
【考案を実施するための形態】
【００２６】
本考案を実施するための形態に係るベルトを図面に基づいて説明する。
【００２７】
＜第１実施形態＞
まず本考案の第１実施形態に係るベルトを図１及び図２に基づいて説明する。図１は本考案の第１実施形態に係るベルトを示すものであり、（ａ）はベルトの正面図、(ｂ)はベルトの背面図である。
【００２８】
本実施形態に係るベルト１０は、ベルト本体２０と、このベルト本体２０の一端部である基端部１１に配置されるバックル４０とを備えて構成される。ベルト１０は、装着者が装着する衣類、例えばズボンのウエスト部に配置された状態でバックル４０によりベルト本体２０の所定位置で位置決め固定される。これにより、衣類が落ちないよう身体に固定する。
【００２９】
ベルト本体２０は、帯状であり、皮革、布、織物、合成樹脂等の素材で形成されている。ベルト本体２０は装着者のウエスト部に巻装できる充分な長さを備える。また、ベルト本体２０には、複数、この例では８箇所にベルト穴２１〜２８が開設されている。ベルト穴２１〜２８は一定間隔で配置され、バックル４０により着用者のウエストサイズに適合するようベルト穴２１の着用サイズを調整するために使用される。
【００３０】
バックル４０は、本例では尾錠型であり、枠部４１とこの枠部４１に回動可能に配置されたピン（ツク棒）４２とから構成される。ベルト本体２０の先端部（剣先）１２を枠部４１に挿入してピン４２をベルト穴２１〜２８のいずれかに挿入して、バックル４０による位置決めを行う。これにより、ベルト１０のサイズが設定される。このため、バックル４０とベルト本体２０を確実に位置決め固定することができる。なお、図１中、符号１３は、ベルト１０の着用時にバックル４０から延びたベルト本体２０を保持するループ部材を示している。
【００３１】
本実施形態に係るベルト１０において、ベルト本体２０のうち装着者への装着状態における内側面であってバックル４０による位置決め固定が想定される領域にはベルト本体２０の長さ方向に沿った長方形状の彩色領域３０が表示されている。この彩色領域３０は、図１（ｂ）に示すように、ベルト本体２０の長さ方向に沿って隣り合って配置される複数、本例では８つの長方形の区画３１〜３８に区分けされている。そして、それぞれの区画３１〜３８は、異なる色で色分けされて表示されている。
【００３２】
区画３１〜３８の数及び色は、適宜選択することができる。本実施形態では、区画３１が「青色」、区画３２が「水色」、区画３３が「緑色」、区画３４が「黄色」、区画３５が「オレンジ」、区画３６が「ピンク」、区画３７が「赤色」、区画３８が「茶色」に彩色され色分けされている。
【００３３】
また、それぞれの区画３１〜３８の略中央の位置には上述したベルト穴２１〜２８が開設されている。
【００３４】
次に本実施形態に係るベルト１０の着用状態について説明する。図２は装着状態における同ベルトのバックル付近を内側から見た拡大図である。装着者がベルト１０を着用し、バックル４０を用いてベルト本体２０の長さ寸法を調整する。このとき、バックル４０のピン４２はベルト本体２０のベルト穴２１〜２８のいずれかに挿入される。図２で示した例ではバックル４０のピン４２は、ベルト穴２４に挿入され、バックル４０とベルト本体２０とが位置決めされている。ベルト穴２４は、「黄色」が表示された区画３４に開設されているので、着用者は、ベルト１０の着用時に自分のベルト固定位置、即ちウエストサイズが「黄色」の位置であることを認識できる。
【００３５】
このため、装着者は、ベルト１０を装着するたびにピン４２を挿入するベルト穴が開設された区画の色でウエストサイズを認識することができる。このため、自己のウエストサイズを過去の色と比較して直感的に認識でき、目標とする色を設定しておくことにより意識して行動できる。このため、ダイエットの助けとなる。
【００３６】
また、ベルト本体２０において装着時における内側に彩色領域３０として区画３１〜３８を表示しているので、外側の面を通常のベルトのように単一色等にすれば、常時使用できるベルトや正装用のベルトとしても使用することができる。
【００３７】
また、彩色領域３０をベルト本体２０の外側面に配置することができ、この場合には彩色領域３０をベルト１０のデザインの一部として使用できる。
【００３８】
＜第２実施形態＞
次に本考案の第２実施形態に係るベルトを図３及び図４に基づいて説明する。図３は本考案の第２実施形態に係るベルトを示すものであり、（ａ）はベルトの正面図、(ｂ)はベルトの背面図である。
【００３９】
本実施形態に係るベルト５０は、ベルト本体６０と、このベルト本体６０の一端部である基端部５１に配置されるバックル８０とを備えて構成される。ベルト５０は、装着者が装着する衣類、例えばズボンのウエスト部に配置された状態でバックル８０によりベルト本体６０の所定位置で位置決め固定される。これにより、衣類が落ちないよう身体に固定する。
【００４０】
ベルト本体６０は、帯状であり、皮革、布、織物、合成樹脂等の素材で形成されている。ベルト本体６０は装着者のウエスト部に巻装できる充分な長さを備える。
【００４１】
バックル８０は、本例ではベルト本体を内側と外側から挟み込んでベルト本体を固定する形式のものであり、ベルト本体にはベルト穴を開設していない。バックル８０は、フレーム部８１とこのフレーム部８１に配置されたベルト本体挟み込み部材８２、８３、８４とを備えて構成される。ベルト本体６０の先端部（剣先）５２をフレーム部８１に挿入してベルト本体鋏み込み部材８２、８３、８４を用いてベルト本体６０を内外から挟み込んでバックル８０の位置決めを行う。これにより、ベルト５０のサイズが設定される。このためバックル８０とベルト本体６０を連続的に位置決め固定することができる。なお、図３中、符号５３は、ベルト５０の着用時にバックル８０から延びたベルト本体６０を保持するループ部材を示している。
【００４２】
本実施形態に係るベルト本体６０において、ベルト本体６０のうち装着者への装着状態における内側面であってバックル８０による位置決め固定が想定される領域にはベルト本体６０の長さ方向に沿った長方形状の彩色領域７０が表示されている。この彩色領域７０は、図３（ｂ）に示すように、ベルト本体６０の長さ方向に沿って隣り合って配置される複数、本例では８つの長方形の区画７１〜７８に区分けされている。そして、それぞれの区画７１〜７８は、異なる色で色分けされて表示されている。
【００４３】
区画７１〜７８の数及び色は、適宜選択することができる。本実施形態では、区画７１が「青色」、区画７２が「水色」、区画７３が「緑色」、区画７４が「黄色」、区画７５が「オレンジ」、区画７６が「ピンク」、区画７７が「赤色」、区画７８が「茶色」に彩色され色分けされている。
【００４４】
次に本実施形態に係るベルト５０の着用状態について説明する。図４は装着状態における同ベルトのバックル付近を内側から見た拡大図である。装着者がベルト５０を着用し、バックル８０を用いてベルト本体６０の長さ寸法を調整する。このとき、バックル８０におけるバックル８０の端部８５がどの色彩の区画に位置するかで、ウエストサイズを認識することができる。なお、常に同じ箇所を基準にするのであれば、色彩の読み取り位置はバックルの他の箇所であってもよい。
【００４５】
図４で示した例ではバックル８０の端部８５は、「オレンジ」が表示された区画７５に位置する。着用者は、ベルト本体６０の着用時に自分のベルト固定位置、即ちウエストサイズが「オレンジ」の位置であることを認識できる。
【００４６】
このため、装着者がベルト本体６０を装着するたびにバックル８０の端部８５が位置する区画の色でウエストサイズを認識することができる。即ち、自己のウエストサイズを過去の色と比較して直感的に認識でき、目標とする色を設定しておくことにより、意識して行動できる。このため、ダイエットの助けとなる。
【００４７】
また、ベルト本体６０において装着時における内側に彩色領域７０として区画７１〜７８を表示しているので、外側の面を通常のベルトのように単一色等にすれば、常時使用できるベルトや正装用のベルトとしても使用することができる。
【００４８】
また、彩色領域７０をベルト本体６０の外側面に配置することができ、この場合には彩色領域７０をベルト５０のデザインの一部として使用できる。
【００４９】
＜他の実施形態＞
ベルトにおける彩色領域における区画の数、寸法、及び配色は必要により適宜選択、変更することができる。図５は本考案の他の実施形態に係るベルトの着色された区画を示す模式図である。
【００５０】
図５（ａ）に示した例は、彩色領域９０に、ウエストサイズが小さい側から順に、「緑色」の区画９１、「黄色」の区画９２、「赤色」の区画９３を表している。この例によれば、ベルトの装着者は、緑色、黄色、赤色を認識することで、自己のウエストサイズが安全（緑色）、注意（黄色）、危険（赤色）であることを直感的に認識できる。このため、着装時に直感的にウエストサイズを認識することができ、もってダイエットの目標達成の一助とすることができる。
【００５１】
図５（ｂ）に示した例は、彩色領域１００に、区画１０１〜１０６を設け、隣接する区画は、明度が異なる色彩で表示されている。よって、それぞれの区画の区別が容易となり、見間違いや勘違いを防止できる。このため、着装時に確実にウエストサイズを認識することができ、もってダイエットの目標達成の一助とすることができる。
【産業上の利用可能性】
【００５２】
本考案に係るベルトは、着装時に直感的にウエストサイズを認識することができ、もってダイエットの目標達成の一助とすることができ、産業上の利用が可能である。
【符号の説明】
【００５３】
１０：ベルト
１１：基端部
１２：先端部
１３：ループ部材
２０：ベルト本体
２１〜２８：ベルト穴
３０：彩色領域
３１〜３８：区画
４０：バックル
４１：枠部
４２：ピン
５０：ベルト
５１：基端部
５２：先端部
５３：ループ部材
６０：ベルト本体
７０：彩色領域
７１〜７８：区画
８０：バックル
８１：フレーム部
８２〜８４：ベルト本体挟み込み部材
８５：端部
９０：彩色領域
９１〜９３：区画
１００：彩色領域
１０１〜１０６：区画
【図１】
0003217492.tif 000003
【図２】
0003217492.tif 000004
【図３】
0003217492.tif 000005
【図４】
0003217492.tif 000006
【図５】
0003217492.tif 000007